(57)【特許請求の範囲】
【請求項１】
少なくとも第１および第２の前後一対の針ベッドを有し、その何れか一方または双方の針ベッドが左右摺動可能に構成される横編機を使用して編地を編成し、編地終端部となる最終コースのループを解れ止め処理する際に、編糸を供給して最終コースのループに続く伏目ループを形成し、該形成された伏目ループを隣接するループと重ね合わせ、該重ね合うループを係止する針に編糸を供給して続く伏目ループを形成する編成を最終コースの一端を始点とし、終点となる他端に向かって繰り返し行うことで最終コースのループを解れ止め処理する伏目方法であって、
（１）   編地最終コースのループの奇数番目のウエールのループを第１の針ベッドの針に、偶数番目のウエールのループを第２の針ベッド上の針に係止させる工程
（２）  前記第１の針ベッド上の奇数番目のウエールに位置するループを係止した針に伏目処理の進行方向に従って給糸して２または３目の伏目ループを連続して形成する工程、
（３）  工程２で形成した伏目ループの内、伏目処理の進行方向において最も上手側に位置するループを、対向する第２の針ベッド上の針に係止される偶数番目のウエールのループの内、伏目処理の進行方向において最も上手側に位置するループに重ねるとともに、第２の針ベッドの針に係止される偶数番目のウエールのループの内、伏目処理の進行方向において最も上手側に位置するループの上手側に向けてループの形成を伴うことなく給糸口を移動させる工程
（４）  工程３で形成した重ね目を含む第２の針ベッド上の偶数番目のウエールのループに伏目処理の進行方向に連続して給糸して２または３目の伏目ループを連続して形成する工程
（５）  工程４で形成した伏目ループの内、伏目処理の進行方向において最も上手側に位置するループを、対向する第１の針ベッド上の針に係止される奇数番目のウエールのループの内、伏目処理の進行方向において最も上手側に位置するループに重ねるとともに、第１の針ベッドの針に係止される奇数番目のウエールのループの内、伏目処理の進行方向において最も上手側に位置するループの上手側に向けてループの形成を伴うことなく給糸口を移動させる工程
（６）  上記工程（２）〜（５）の編成を繰り返し単位とし、１繰り返し単位分の編成を行う毎に編成対象となるループを伏目処理の進行方向において２ウエール前方に位置するループと変更しながら繰り返す工程
を含むことを特徴とする伏目方法。
【請求項２】
伏目ループの形成を編地最終コースの編成に使用した編糸と異なる種類の編糸を使用して行うことを特徴とする請求項１に記載の伏目方法。
【請求項３】
編地最終コースのループに続く伏目ループを形成し、該形成された伏目ループを隣接するループと重ね合わせ、該重ね合うループを係止する針に編糸を供給して続く伏目ループを形成する編成を最終コースの一端を始点とし、終点となる他端に向かって繰り返し行うことで最終コースのループが解れ止め処理された編地であって、編地表面側において１ウエール置きに伏目ループが編地最終コースのループ内に横向きに挿通されるとともに、編地裏面側において１ウエール置きに伏目ループが編地最終コースのループ内に横向きに挿通され、これら伏目ループが編地最終コースのループ内に横向きに挿通されるループは編地表面側と編地裏面側では互い違いに配置されることを特徴とする編地。
【発明の詳細な説明】
【０００１】
【発明の属する技術分野】
本発明は横編機を使用して編成される編地最終コースのループ列の側端に位置するループに続く伏目ループを形成し、該形成されたループを隣接するループと重ね合わせ、該重ね合わせたループに編糸を供給して伏目部の続く伏目ループを形成する編成を編地の一端側から他端側に向かって繰り返し行う伏目方法および伏目処理された編地に関する。
【０００２】
【従来の技術】
横編機で編地を編成する過程で編地最終コースのループを連結する伏目ループを形成して解れ止めを行う伏目方法が種々考案されている。伏目方法では編地最終コースのループと伏目ループを重ね、該重ね目に次コースのループを形成することで、隣接する編地最終コースのループ同士が編地の幅方向に延びる伏目ループにより連結し編地最終コースのループの解れ出しを防止する。
【０００３】
【発明が解決しようとする課題】
本発明は伏目処理の過程で形成される伏目ループが編地最終コースのループに対し横向きに挿通され、編地最終コースのループが所定間隔置きに伏目ループの表側に現れる柄的なアクセントを形成することのできる新規な伏目方法および伏目処理された編地を開示することを目的とする。
【０００４】
【発明の構成・作用効果】
上記した課題を解決するため本発明の伏目方法は、少なくとも第１および第２の前後一対の針ベッドを有し、その何れか一方または双方の針ベッドが左右摺動可能に構成される横編機を使用して編地を編成し、編地終端部となる最終コースのループを解れ止め処理する際に、編糸を供給して最終コースのループに続く伏目ループを形成し、該形成された伏目ループを隣接するループと重ね合わせ、該重ね合うループを係止する針に編糸を供給して続く伏目ループを形成する編成を最終コースの一端を始点とし、終点となる他端に向かって繰り返し行うことで最終コースのループを解れ止め処理する伏目方法であって、
（１）   編地最終コースのループの奇数番目のウエールのループを第１の針ベッドの針に、偶数番目のウエールのループを第２の針ベッド上の針に係止させる工程
（２）  前記第１の針ベッド上の奇数番目のウエールに位置するループを係止した針に伏目処理の進行方向に従って給糸して２または３目の伏目ループを連続して形成する工程、
（３）  工程２で形成した伏目ループの内、伏目処理の進行方向において最も上手側に位置するループを、対向する第２の針ベッド上の針に係止される偶数番目のウエールのループの内、伏目処理の進行方向において最も上手側に位置するループに重ねるとともに、第２の針ベッドの針に係止される偶数番目のウエールのループの内、伏目処理の進行方向において最も上手側に位置するループの上手側に向けてループの形成を伴うことなく給糸口を移動させる工程
（４）  工程３で形成した重ね目を含む第２の針ベッド上の偶数番目のウエールのループに伏目処理の進行方向に連続して給糸して２または３目の伏目ループを連続して形成する工程
（５）  工程４で形成した伏目ループの内、伏目処理の進行方向において最も上手側に位置するループを、対向する第１の針ベッド上の針に係止される奇数番目のウエールのループの内、伏目処理の進行方向において最も上手側に位置するループに重ねるとともに、第１の針ベッドの針に係止される奇数番目のウエールのループの内、伏目処理の進行方向において最も上手側に位置するループの上手側に向けてループの形成を伴うことなく給糸口を移動させる工程
（６）  上記工程（２）〜（５）の編成を繰り返し単位とし、１繰り返し単位分の編成を行う毎に編成対象となるループを伏目処理の進行方向において２ウエール前方に位置するループと変更しながら繰り返す工程
を含むことを特徴とする。
【０００５】
また、伏目ループの形成を編地最終コースの編成に使用した編糸と異なる種類の編糸を使用して行うことも特徴の一つである。
【０００６】
本発明によれば、伏目処理に先立ち編地の奇数番目のウエールのループを第１の針ベッド（例えば前ベッド）上の針、偶数番目のウエールのループを第２の針ベッド（例えば後ベッド）上の針に係止させる。
そして前ベッド及び後ベッド上それぞれの伏目処理の進行方向において上手側に位置する２乃至３ウエールのループ、計４乃至６目のループを伏目処理の繰り返し単位となる１ターン目の編成対象とする。
伏目処理開始後、伏目処理の進行方向において上手側の編地側端から奇数番目に位置するウエールのループが係止される第１の針ベッド上の隣り合う２乃至３ウエールのループに伏目ループを形成する。続いて新たに形成したループの内、伏目処理の進行方向において最も上手側に位置するウエールのループ（以後、側端ループと呼ぶ）を対向する針ベッド上の針に係止される偶数番目のウエールのループにおける側端ループと重ねる。続いて、給糸口を反転させ、給糸口を伏目処理の進行方向において上手側に移動させる。そして第２の針ベッドの隣り合う２乃至３ウエールのループに伏目ループを形成する。続いて新たに形成したループの内、側端ループ対向する第１の針ベッドの側端ループと重ねる。
上記編成により編地側端から１〜４番目に位置するループを対象とする１ターン目の編成を完了する。以後、編成対象となるループを前記１ターン目の編成において対象となったループから伏目処理の進行方向において２ウエール前方に位置するループへと移し、新たに編成対象とするループに対し、前記１ターン目と同様の編成を行編成を繰り返して伏目処理する。
【０００７】
本発明では１ターンの編成を行う毎に２ウエール伏目し、各ターンにおける編成対象は常にその時点において編地側端側に位置するループとする。上記した編成を行うことで、編地最終コースのループ内に伏目ループが横向きに保持され、編地最終コースのループが伏目ループの表側に現れた柄的なアクセントが伏目処理部に形成される。
【０００８】
また、本発明の伏目処理された編地は、編地最終コースのループに続く伏目ループを形成し、該形成された伏目ループを隣接するループと重ね合わせ、該重ね合うループを係止する針に編糸を供給して続く伏目ループを形成する編成を最終コースの一端を始点とし、終点となる他端に向かって繰り返し行うことで最終コースのループが解れ止め処理された編地であって、編地表面側において１ウエール置きに伏目ループが編地最終コースのループ内に横向きに挿通されるとともに、編地裏面側において１ウエール置きに伏目ループが編地最終コースのループ内に横向きに挿通され、これら伏目ループが編地最終コースのループ内に横向きに挿通されるループは編地表面側と編地裏面側では互い違いに配置されることを特徴とする。
【０００９】
【発明の実施の形態】
以下、本発明を図面とともに詳細に説明する。なお、以下の説明では前後一対の針ベッドを備えた二枚ベッド横編機を使用する場合を説明するが、二枚ベッド横編機に限らず前後一対の下部針ベッドの少なくとも何れか一方の針ベッド上に上部補助ベッドを備えた三枚乃至四枚ベッド横編機でも実施可能である。本実施例では後ベッドのみが前ベッドに対し長手方向にラッキング可能に構成された横編機を使用するが、前ベッドのみがラッキング可能、または前後両針ベッドがそれぞれラッキング可能な横編機においても実施できる。
【００１０】
図１は編成対象の衿首用リブ編地１を示す。図２〜４は衿首用リブ編地１の伏目処理開始後の編成を示す編成コース図である。図５は図２〜４の編成により伏目処理された編地の伏目処理部を編地最終コースの１つ前のコースから示した図である。図６は実施例における給糸順序を模式的に示す図である。図７は伏目箇所を示す写真である。
衿首用リブ編地１は編出し箇所２から矢印方向に向かって編成される。伏目処理は編終わり縁３となる編地最終コースのループ群に対し施される。以下、伏目処理開始前までの編成が完了した状態から編成コース図２〜４を使用して説明する。本実施例では左端から右端に向かって伏目処理するものとし、伏目処理の進行方向とは左から右に向かう方向を意味し、伏目処理の進行方向において上手側は左側を、下手側は右側を意味するものとする。コース１の状態を針ベッドの原点位置と呼び、以下の説明では原点位置から後ベッドが左右に針何本分にラッキングしているかを後ベッド右側に付したラッキングピッチにより示す。
【００１１】
図２のコース１〜２は衿首用リブ編地１の伏目処理開始前のリブ編成を示す。コース１では給糸口５により後ベッドの１本置きの針と前ベッドの１本置きの針に交互に給糸して１×１リブ編組織を編成する。コース２では給糸口５を反転させた後、コース１と同様の編成を行う。コース１およびコース２の編成を繰り返すことで衿首用リブ編地１が伏目処理を開始するコースまで編成される。
コース３より伏目処理を開始する。コース３ではコース１およびコース２で編成に使用した給糸口５と種類の異なる編糸を給糸する給糸口１０により左から右に向かう伏目処理の進行方向に給糸する。種類が異なる編糸とは例えば色、素材、太さが異なる編糸を意味する。給糸口１０により編地の側端から１番目のウエールのループを係止している後ベッドの針ａおよび３番目のウエールのループを係止している後ベッドの針ｃに給糸して伏目ループ１１，１２を形成する。続いてコース４では後ベッドを右１ピッチとし、後ベッドの針ａに新たに形成した伏目ループの内、後ベッド上の針に係止される後ベッド上の側端ループ１１を、編地の側端から２番目のウエールに位置し前ベッドの針Ｂに係止される側端ループ１３と重ねる。コース５では給糸口１０をコース６において新たにループを形成する前ベッドの針Ｂの伏目処理の進行方向において上手側となる左側に移動させる。続いてコース６では編地側端から２番目のウエールのループと前ベッドの針Ｂおよび４番目のウエールのループを係止している前ベッドの針Ｄに給糸して伏目ループ１４，１５を形成する。続いてコース７では後ベッドを左１ピッチにラッキングした後、前ベッドの針Ｂに新たに形成した前ベッド上の側端伏目ループ１４を後ベッドの針ｃに係止される後ベッド上の側端ループ１２と重ねる。コース８ではコース９における新たなループの形成に先立ち給糸口を左に移動させる。上記コース３〜８の編成により、衿首用リブ編地の最終コースのループの内、側端から１・２番目に位置するループの解れ止めが完了する。以上の編成により編地側端から１〜４番目のウエールのループ群を編成対象とする伏目処理の繰り返し単位となる１ターン分の編成が完了する。
【００１２】
本実施例では、上記コース３〜８に示される編成を繰り返し単位（ターン）として、１ターン分の編成が完了する毎に編成対象となるループ群を伏目処理の進行方向において２ウエール前方に位置するループ群へと移しながら繰り返す編成を行う。前記コース３〜８で示されるターン１において１〜４番目のループとして説明したループは、各ターンにおいて編成対象となるループ群における１〜４番目のループに置き換えて編成を行う。各ターンにおいて編成対象となるループは、伏目処理開始時を基準として、ターン１では編地側端から１〜４番目のループ、ターン２では３〜６番目のループ、ターン３では５〜８番目のループとなる。
【００１３】
ターン２の編成を開始するコース９ではターン２において編成対象となるループの内、編地側端から１・３番目のウエールのループを係止している後ベッドの針ｃおよび針ｅに給糸して伏目ループ２１，２２を形成する。コース１０では後ベッドを右１ピッチにラッキングし針ｃに新たに形成した後ベッド上の側端伏目ループ２１を前ベッドの針Ｄに係止される前ベッド上の側端伏目ループ１５と重ねる。コース１１では給糸口１０をコース１２での編成に先だって左側に移動させる。コース１２では編地側端から２・４番目のウエールのループを係止している前ベッドの針Ｄおよび針Ｆに給糸して伏目ループ２３，２４を形成する。コース１３では後ベッドを左１ピッチとした後、前ベッドの針Ｄに新たに形成した前ベッド上の側端伏目ループ２３を後ベッドの針ｅに係止される後ベッド上の側端伏目ループ２２と重ねる。コース１４では続く編成においてループを形成する針の左側に給糸口を移動させる。以上コース９からコース１４の編成によりターン２の編成が完了し、ターン１の状態から更に２ウエール伏目処理されて編針から外される。以降繰り返し単位となるコース３〜８に示される編成を伏目処理の進行方向に全てのループの伏目処理が完了するまで繰り返すことで編地終端部が解れ止め処理される。
【００１４】
図５および図６（図６のターン１は編成コース３〜８に対応し、ターン２は編成コース９〜１４に相当する）に示すように、上記編成を行うことで、各ターンにおいて伏目処理の進行方向において最も下手側に位置する側のループは前ベッド上で形成されるループおよび後ベッド上で形成されるループが互い違いに最終コースのループ２５〜２８に横向きに挿通された状態となる。本実施例の伏目処理方法では、編地最終コースのループ２５〜２８に続き前ベッド上で形成される伏目ループ１５，２４、および後ベッド上で形成されるループ１２，２２のループ形成をいずれも伏目処理の進行方向である右方向に給糸口を移動させてループが形成される。そして他方の針ベッド上でループ形成に先だって給糸口を伏目処理の進行方向において上手側である左側移動させる。したがって編地最終コースのループ２５〜２８に続いて形成された伏目ループ１２，１５，２２，２４から隣接するループに渡る編糸（ループ１２では編糸１２ａ，１２ｂ、ループ１５では編糸１５ａ，１５ｂ、ループ２２では編糸２２ａ，２２ｂ、ループ２４では編糸２４ａ，２４ｂ）はいずれも伏目処理の進行方向において上手側である左側に向かって延びる。このように隣接するループに延びる２本の編糸が同じ左側を向くことで、ループ２５，２６，２７，２８は伏目処理の進行方向において下手側に位置する編糸２５ａ，２６ａ，２７ａ，２８ａが編地表面から沈み込み、上手側に位置する編糸２５ｂ，２６ｂ，２７ｂ，２８ｂのみが編地表面側に現れる。図５では伏目ループを編地最終コースのループ２５〜２８よりも上方に配置したが、実際の編地では図７に示すように伏目ループ列は編地最終コースのループ列と重なる。編地最終コースのループ内に挿通された伏目ループは１ウエール置きに表目と裏目が交互に形成されるため、編地側端から奇数番目のウエールでは伏目ループが編地表面側に、偶数番目のウエールでは編地裏面側に現れ、編地表面側と裏面側に同じ編組織が表裏対称に形成される。したがって、例えば折り返して使用されるタートルネックのように編地の表裏が共に表面に現れる箇所を伏目処理することで商品価値の高い編地を編成できる。また、編地最終コースのループは伏目編目列のループの外側に現れ柄的なアクセントとなる。されに伏目処理を上記実施例のように編地最終コースの編成に使用した編糸と異なる色の編糸または異なる種類の編糸を使用して形成すればアクセントが強調される。
【００１５】
上記実施例では１×１リブ編地を伏目処理する場合を説明したが、伏目処理の開始に先だって編目配列を前ベッドの針と後ベッドの針に交互に係止される状態とすることで１×１リブ編組織に限らず他の編組織においても実施可能である。なお、上記実施例では前後両ベッドの針にループを交互に配置して編成する１×１リブ編組織を伏目処理したため、前後ベッドにループを振り分ける編成を省略した。また、上記実施例では前ベッド上および後ベッド上のそれぞれにおいて連続して２目づつ連続形成するようにしているが、３目あるいはそれ以上とすることも可能である。また上記実施例ではガーメント状の編地を伏目処理する場合を説明したが、例えばシームレスセーターとして筒状に編成される身頃に続けて形成したタートルネックの最終コースを伏目処理する場合の様に、筒状編成される編地の伏目処理にも利用できる。
【図面の簡単な説明】
【図１】編成対象となる編地を示す図である。
【図２】実施例を示す編成コース図である。
【図３】実施例を示す編成コース図である。
【図４】実施例を示す編成コース図である。
【図５】実施例により伏目処理された編地のループ図である。
【図６】実施例における給糸順序を模式的に示す図である。
【図７】伏目処理部を示す図である。
【符号の説明】
１…編地、２…編出し箇所、３…編み終わり側端縁、１０…給糸口
【図１】
0003954326.tif 000002
【図２】
0003954326.tif 000003
【図３】
0003954326.tif 000004
【図４】
0003954326.tif 000005
【図５】
0003954326.tif 000006
【図６】
0003954326.tif 000007
【図７】
0003954326.tif 000008